(57)【特許請求の範囲】
【請求項１】
住戸玄関に設置されるドアホン子機（１）と、前記ドアホン子機に接続され住戸内に設置されるインターホン親機（２）とを備え、前記ドアホン子機の呼出ボタン（１０）が操作されると前記インターホン親機の呼出検出回路（２１）にて呼び出しを検出し、前記呼出検出回路から出力される呼出信号を検出した制御回路（２０）による制御で前記インターホン親機のスピーカ（２５）から呼出音を鳴動させるインターホン装置であって、
前記インターホン親機は、前記呼出音を増幅して前記スピーカに出力するための増幅アンプ（２２）と、前記呼出信号を検出した前記制御回路による制御で電源（Ｖcc）から前記増幅アンプへの電源供給ラインを形成するための電源制御部（２３）と、前記増幅アンプおよび前記スピーカ間に介在され、前記呼出信号を検出した前記制御回路の制御による前記増幅アンプへの電源供給時および前記スピーカからの呼出音の鳴動が終了した電源遮断時に発生するクリック音を防止するためのクリック音防止部（２７）とを有することを特徴とするインターホン装置。
【請求項２】
前記クリック音防止部は、前記電源制御部の制御による前記増幅アンプへの電源供給時から前記増幅アンプの出力の直流変動が発生して前記増幅アンプの出力の直流変動が安定するときまでオフされ、直流変動が安定後オンされて増幅された前記呼出音を通過させ、前記増幅アンプの電源遮断時に前記増幅アンプの出力の直流変動が発生する前にオフされる電界効果トランジスタ（３０ａ、３０ｂ）で構成されることを特徴とする請求項１記載のインターホン装置。
【発明の詳細な説明】
【０００１】
【発明の属する技術分野】
本発明はインターホン装置に係り、特に、ドアホン子機からインターホン親機への呼出時に発生するクリック音を防止することができるインターホン装置に関する。
【０００２】
【従来の技術】
従来から、この種のインターホン装置として、図２の回路ブロック図に示す構成のインターホン装置が提案されている。
【０００３】
同図に示すインターホン装置は、住戸玄関に設置され、呼出ボタン６０を有するドアホン子機５１と、２線からなる伝送路Ｌ51を介してドアホン子機５１に接続されるとともに住戸内に設置され、制御回路７０、呼出検出回路７１、増幅アンプ７２、電源制御部７３、アナログスイッチ７４、スピーカ７５、コンデンサ７６を有するインターホン親機５２とで構成されている。
【０００４】
このように構成されたインターホン装置において、住戸玄関に居る来訪者が、インターホン親機５２の使用者である住戸内の居住者を呼び出すために、ドアホン子機５１の呼出ボタン６０を操作すると、伝送路Ｌ51に予め重畳されている直流電圧が電圧降下し、この電圧降下に基づいて来訪者による呼出操作を検出したインターホン親機５２の呼出検出回路７１から制御回路７０に呼出信号が出力される。
【０００５】
また、インターホン親機５２の呼出検出回路７１からの呼出信号を検出した制御回路７０は、電源制御部７３を制御し電源Ｖccから増幅アンプ７２への電源供給ラインを形成させ、この電源供給に基づいて増幅アンプ７２をオン状態とするとともに、アナログスイッチ７４をオフ状態からオン状態に切り替え、切り替えられたアナログスイッチ７４を介して増幅アンプ７２に呼出音信号を送出することにより、増幅アンプ７２にて増幅されコンデンサ７６を介した呼出音信号がスピーカ７５に伝送され、スピーカ７５では、呼出音信号を適宜に信号した呼出音が鳴動され、住戸内の居住者に対して住戸玄関に居る来訪者からの呼び出しが報知される。
【０００６】
さらに、インターホン親機５２のスピーカ７５からの呼出音の鳴動が終了すると、制御回路７０は、電源制御部７３を制御し電源Ｖccから増幅アンプ７２への電源供給ラインを遮断させ、増幅アンプ７２をオフ状態とするとともに、アナログスイッチ７４をオン状態からオフ状態に切り替えることにより、当該インターホン装置は待受状態に復旧される。
【０００７】
【発明が解決しようとする課題】
しかしながら、従来のインターホン装置では、インターホン親機５２の電源制御部７３の制御に基づいて電源Ｖccから増幅アンプ７２への電源供給ラインを形成した場合と遮断した場合、即ち、増幅アンプ７２への電源供給時および電源遮断時には、増幅アンプ７２の出力の直流変動が発生し、この直流変動に基づいてスピーカ７５からクリック音が鳴動されてしまう難点があった。
【０００８】
本発明は、上述の難点を解消するためになされたもので、ドアホン子機からの呼び出しを報知するインターホン親機の増幅アンプへの電源供給時および電源遮断時に発生するクリック音を防止した高品質のインターホン装置を提供することを目的とする。
【０００９】
【課題を解決するための手段】
この目的を達成するため、本発明によるインターホン装置は、住戸玄関に設置されるドアホン子機と、ドアホン子機に接続され住戸内に設置されるインターホン親機とを備え、ドアホン子機の呼出ボタンが操作されるとインターホン親機の呼出検出回路にて呼び出しを検出し、呼出検出回路から出力される呼出信号を検出した制御回路による制御でインターホン親機のスピーカから呼出音を鳴動させるインターホン装置であって、インターホン親機は、呼出音を増幅してスピーカに出力するための増幅アンプと、呼出信号を検出した制御回路による制御で電源から増幅アンプへの電源供給ラインを形成するための電源制御部と、増幅アンプおよびスピーカ間に介在され、呼出信号を検出した制御回路の制御による増幅アンプへの電源供給時およびスピーカからの呼出音の鳴動が終了した電源遮断時に発生するクリック音を防止するためのクリック音防止部とを有することを特徴としている。
【００１０】
また、本発明によるインターホン装置をなすインターホン親機のクリック音防止部は、電源制御部の制御による増幅アンプへの電源供給時から増幅アンプの出力の直流変動が発生して増幅アンプの出力の直流変動が安定するときまでオフされ、直流変動が安定後オンされて増幅された呼出音を通過させ、増幅アンプの電源遮断時に増幅アンプの出力の直流変動が発生する前にオフされる電界効果トランジスタで構成されることを特徴としている。
【００１１】
このようなインターホン装置によれば、インターホン親機のスピーカにて鳴動させる呼出音を増幅する増幅アンプへの電源供給時および電源遮断時に、増幅アンプおよびスピーカ間に介在されるクリック音防止部の制御に基づいて増幅アンプからスピーカへの信号伝送ラインが遮断されることにより、増幅アンプの出力の直流変動に基づいて発生するスピーカからのクリック音の鳴動を防止でき、呼出ボタンの操作によるドアホン子機からの呼び出しを報知するインターホン親機にて高品質の呼出報知が可能となる。
【００１２】
【発明の実施の形態】
以下、本発明によるインターホン装置を適用した好ましい形態の実施例について、図面を参照して説明する。
【００１３】
図１は、本発明の一実施例によるインターホン装置の構成を示す回路ブロック図であり、住戸玄関に設置されるドアホン子機１と、住戸内に設置されるインターホン親機２とが、２線からなる伝送路Ｌ1を介して接続され構成されている。
【００１４】
同図に示すドアホン子機１は、当該ドアホン子機の使用者である住戸玄関に居る来訪者が、インターホン親機２の使用者である住戸内の居住者を呼び出すために操作する呼出ボタン１０を有する。
【００１５】
同図に示すインターホン親機２は、当該インターホン親機の構成各部を制御するとともに計時機能が備えられた制御回路２０と、伝送路Ｌ1に接続されたドアホン子機１の呼出ボタン１０の操作を検出するための呼出検出回路２１と、制御回路２０にて生成された呼出音信号を増幅するための増幅アンプ２２と、電源Ｖccに接続され増幅アンプ２２への電源制御を行うための電源制御部２３と、制御回路２０から増幅アンプ２２への呼出音信号の出力がない場合において、増幅アンプ２２へのノイズ等の入力がないようにするためにオン／オフ切り替わるアナログスイッチ２４と、増幅アンプ２２にて増幅された呼出音信号を適宜に信号処理（詳述せず）した呼出音を鳴動するためのスピーカ２５と、増幅アンプ２２およびスピーカ２５間にコンデンサ２６とともに介在（接続）され、増幅アンプ２２への電源供給時および電源遮断時に発生するクリック音を防止するためのクリック音防止部２７とを有する。
【００１６】
また、同図に示すインターホン親機２のクリック音防止部２７は、電源制御部２３の制御による増幅アンプ２２への電源供給時から当該増幅アンプの出力の直流変動が発生して、この出力の直流変動が安定するときまでオフ状態とされ、直流変動が安定後オン状態とされて増幅された呼出音信号を通過させ、増幅アンプ２２への電源遮断時に当該増幅アンプの出力の直流変動が発生する前にオフ状態とされる電界効果トランジスタ３０ａ、３０ｂと、電界効果トランジスタ３０ａ、３０ｂをオン／オフ切り替えるために、制御回路２０の制御によりオン／オフ切り替えられるＮＰＮ形トランジスタ３１と、電源Ｖccと電界効果トランジスタ３０ａ、３０ｂのドレインとの間にそれぞれ接続される抵抗３２ａ、３２ｂと、制御回路２０とＮＰＮ形トランジスタ３１のベースとの間に接続される抵抗３３と、ＮＰＮ形トランジスタ３１のベース−エミッタ間に接続される抵抗３４と、電界効果トランジスタ３０ａ、３０ｂの各ソース間の接続点とＮＰＮ形トランジスタ３１のコレクタとの間に接続される抵抗３５と、電界効果トランジスタ３０ｂのドレインとスピーカ２５との間に接続されるコンデンサ３６とで構成されている。
【００１７】
このように構成された本発明の一実施例によるインターホン装置において、以下、その動作について説明する。
【００１８】
図１の回路ブロック図において、住戸玄関に居る来訪者が、インターホン親機２の使用者である住戸内の居住者を呼び出すために、ドアホン子機１の呼出ボタン１０を操作すると、伝送路Ｌ1に予め重畳されている直流電圧が電圧降下し、この電圧降下に基づいて来訪者による呼出操作を検出したインターホン親機２の呼出検出回路２１から制御回路２０に呼出信号が出力される。
【００１９】
また、インターホン親機２の呼出検出回路２１からの呼出信号を検出した制御回路２０は、電源制御部２３を制御し電源Ｖccから増幅アンプ２２への電源供給ラインを形成させ、この電源供給に基づいてオン状態となる増幅アンプ２２の出力の直流変動が安定するまでの所定の時間（以下、直流変動安定化時間と称す）の計時を開始するとともに、アナログスイッチ２４をオフ状態からオン状態に切り替える。
【００２０】
なお、インターホン親機２の制御回路２０にて直流変動安定化時間が計時中には、アナログスイッチ２４への呼出音信号の出力は停止されているとともに、クリック音防止部２７のＮＰＮ形トランジスタ３１はオフ状態とされ、これに起因して電界効果トランジスタ３０ａ、３０ｂもそれぞれオフ状態に制御されていることにより、増幅アンプ２２への電源供給時から当該増幅アンプの出力の直流変動が発生して、この出力の直流変動が安定するまでの間は、スピーカ２５からのクリック音の鳴動を防止することができる。
【００２１】
次に、インターホン親機２の制御回路２０にて計時中の直流変動安定化時間が経過（タイムアップ）する、即ち、増幅スピーカ２２の出力の直流変動が安定すると、このタイムアップを検出した制御回路２０の制御により、クリック音防止部２７の抵抗３３を介してＮＰＮ形トランジスタ３１のベース−エミッタ間に順方向の電圧が印加され、当該ＮＰＮ形トランジスタにはコレクタ電流が流れ、このコレクタ電流に基づいて電界効果トランジスタ３０ａ、３０ｂのゲートにゲート電圧がそれぞれ印加される。また、ゲート電圧が印加された電界効果トランジスタ３０ａ、３０ｂでは、各抵抗３２ａ、３２ｂを介して印加される電源Ｖccからのドレイン電流の通路としてドレイン−ソース間の電流通路が形成されることにより、当該電界効果トランジスタはそれぞれオン状態となり、制御回路２０からスピーカ２５への信号伝送ラインが形成される。その後、制御回路２０は、切り替えられたアナログスイッチ２４を介して増幅アンプ２２に呼出音信号を送出することにより、増幅アンプ２２にて増幅されコンデンサ２６、クリック音防止部２７のオン状態の電界効果トランジスタ３０ａ、３０ｂ、コンデンサ３６を介した呼出音信号がスピーカ２５に伝送され、スピーカ２５では、呼出音信号を適宜に信号した呼出音が鳴動され、住戸内の居住者に対して住戸玄関に居る来訪者からの呼び出しが報知される。
【００２２】
また、インターホン親機２のスピーカ２５からの呼出音の鳴動が終了すると、制御回路２０は、クリック音防止部２７の抵抗３３を介してＮＰＮ形トランジスタ３１のベース−エミッタ間への順方向の電圧の印加を停止することにより、当該ＮＰＮ形トランジスタはオフ状態となり、これに起因して電界効果トランジスタ３０ａ、３０ｂのゲートへのゲート電圧の印加も停止され、当該電界効果トランジスタもオフ状態となることから、上述の制御回路２０からスピーカ２５への信号伝送ラインは遮断され、増幅アンプ２２への電源遮断時に当該増幅アンプの出力の直流変動が発生する前には、スピーカ２５からのクリック音の鳴動を防止することができる。その後、制御回路２０は、電源制御部２３を制御し電源Ｖccから増幅アンプ２２への電源供給ラインを遮断させ、増幅アンプ２２をオフ状態とするとともに、アナログスイッチ２４をオン状態からオフ状態に切り替えることにより、当該インターホン装置は待受状態に復旧される。
【００２３】
【発明の効果】
以上の説明から明らかなように、本発明のインターホン装置によれば、インターホン親機のスピーカにて鳴動させる呼出音を増幅する増幅アンプへの電源供給時および電源遮断時において、増幅アンプの出力の直流変動に基づいて発生するスピーカからのクリック音の鳴動を防止でき、呼出ボタンの操作によるドアホン子機からの呼び出しを報知するインターホン親機にて高品質の呼出報知が可能となる。
【図面の簡単な説明】
【図１】  本発明の一実施例によるインターホン装置の構成を示す回路ブロック図である。
【図２】  従来のインターホン装置の構成を示す回路ブロック図である。
【符号の説明】
１・・・・・ドアホン子機
２・・・・・インターホン親機
１０・・・・呼出ボタン
２０・・・・制御回路
２１・・・・・呼出検出回路
２２・・・・・増幅アンプ
２３・・・・・電源制御部
２５・・・・・スピーカ
２７・・・・・クリック音防止部
３０ａ、３０ｂ・・・・・電界効果トランジスタ
Ｖcc・・・・・電源
【図１】
0004368064.tif 000002
【図２】
0004368064.tif 000003